(57)【要約】【課題】  製本において本文用紙の坪量が小さい用紙に対して、全面写真画像のようなトナーの消費量が多い画像を印字した場合や、両面印刷の時に表面と裏面のトナーの消費量に大きな差がある場合などは、時間経過と共にトナーが収縮し用紙が丸まることがある。【解決手段】  画像データを入力し、画像処理された画像のビデオデータをカウントし使用トナー量を計算するトナー量計算手段と、画像を記録するための記録媒体のサイズと種類を決定する記録媒体決定手段と、記録媒体に応じてトナー量の制限値を示す閾値が決められており、前記トナー量計算手段で計算されたトナー量がその閾値を超える場合には、トナー量を制限し閾値より小さくするための演算処理を行い印字する。【選択図】  図８
2006163043.tif 000002
【特許請求の範囲】
【請求項１】
画像データを入力する画像入力手段と、前記画像入力手段により入力された画像データに対して画像処理を施す画像処理手段と、前記画像処理手段により画像処理された画像のビデオデータをカウントするビデオデータカウント手段と、前記ビデオデータカウント手段から使用トナー量を計算するトナー量計算手段と、画像を記録するための記録媒体のサイズと種類を決定する記録媒体決定手段と、前記記録媒体決定手段で決定した記録媒体に応じてトナー量の制限値を示す閾値が決められており、前記トナー量計算手段で計算されたトナー量がその閾値を超える場合には、トナー量を制限し閾値より小さくするための演算処理を行い印字することを特長とする画像形成装置。
【請求項２】
画像データを入力する画像入力手段と、前記画像入力手段により入力された画像データに対して画像処理を施す画像処理手段と、前記画像処理手段により画像処理された画像のビデオデータをカウントするビデオデータカウント手段と、前記ビデオデータカウント手段から使用トナー量を計算するトナー量計算手段と、画像を記録するための記録媒体のサイズと種類を決定する記録媒体決定手段と、前記記録媒体の表面及び裏面それぞれに印字して出力する場合には、表面のトナー量と裏面のトナー量の差に制限値を示す閾値が決められており、前記トナー量計算手段で計算された記録媒体の表面と裏面のトナー量の差がその閾値を超える場合には、トナー消費量の多い面に対してトナー量を制限し、差が閾値より小さくするための演算処理を行い印字することを特長とする画像形成装置。
【請求項３】
請求項１及び２に記載の前記演算処理は、濃度レベルを変換するＬＵＴテーブルが複数用意され、その中からトナーの消費量が閾値以下となるようなＬＵＴテーブルを用いて演算処理することを特長とする画像形成装置。
【請求項４】
請求項１及び２に記載の前記演算処理によりＬＵＴテーブルによる演算処理後もトナーの消費量が閾値を超えると判断される場合には、表示部にエラーを表示する手段と、処理を中断するか継続するかを使用者に決定させる手段を有し、継続と判断された場合にはもっともトナー消費量が少なくなるＬＵＴテーブルで演算処理をすることを特徴とする画像形成装置。
【請求項５】
請求項１及び２に記載の前記演算処理は、出力された複数の記録媒体を１つの束に整合し、記録媒体束の背面を熱した糊に当接させ記録媒体束の背面に糊付けし、表紙用紙で包んで接着、乾燥させた後、周囲を裁断するくるみ製本出力時に行うことを特徴とする画像形成装置。
【発明の詳細な説明】
【技術分野】
【０００１】
本発明は、画像形成装置、特に出力された用紙を製本して出力する製本出力に関するものである。
【背景技術】
【０００２】
コピー、プリンタ、ＦＡＸ等の画像形成装置で出力された用紙の後処理手段としてステイプル、折り、パンチ穴開け、更にくるみ製本を行う排紙ユニットが提案されている。
【０００３】
特に、くるみ製本は、排出された用紙を排紙ユニットに送り込み、複数枚の用紙束を整合部において整合し、用紙束の先端を糊つきテープや水溶性の糊を加熱して接着させ、表紙用の用紙を包んで出力するもので、本格的な印刷に対して小規模な装置で実現可能である上、少量部数にもすばやく対応ができるという特長がある。（例えば、特許文献１参照）。
【特許文献１】特開平８−１３２７５７
【発明の開示】
【発明が解決しようとする課題】
【０００４】
しかしながら、くるみ製本は全ての本文用紙を出力した後、本文用紙束の先端部分に熱で溶かした糊を付け表紙用紙で包んだ後、周囲を裁断するのであるが、本文用紙の坪量が小さい用紙に対して全面写真画像のようなトナーの消費量が多い画像を印字した場合や、両面印刷の時に表面と裏面のトナーの消費量に大きな差がある場合などは、時間経過と共にトナーが収縮し用紙が丸まることがある。
【０００５】
そのため製本出力する場合、整合部で待機中の用紙が丸まってしまった場合、以降の用紙でＪＡＭが発生したり、用紙が丸まることで糊付けができないという問題が発生する可能性があった。
【課題を解決するための手段】
【０００６】
以上の点に鑑み、本発明によれば以下の手段を講ずることにより上記不具合を解消するものである。
【０００７】
すなわち、画像データを入力する画像入力手段と、前記画像入力手段により入力された画像データに対して画像処理を施す画像処理手段と、前記画像処理手段により画像処理された画像のビデオデータをカウントするビデオデータカウント手段と、前記ビデオデータカウント手段から使用トナー量を計算するトナー量計算手段と、画像を記録するための記録媒体のサイズと種類を決定する記録媒体決定手段と、前記記録媒体決定手段で決定した記録媒体に応じてトナー量の制限値を示す閾値が決められており、前記トナー量計算手段で計算されたトナー量がその閾値を超える場合には、トナー量を制限し閾値より小さくするための演算処理を行い印字することで製本出力時の問題を解決するものである。
【発明の効果】
【０００８】
以上説明したように、本発明によれば製本出力を行う場合に、用紙の種類とトナーの消費量の関係から時間経過により用紙形状が変化する可能性があるかどうかを判断し、用紙形状が変化する可能性があると判断された場合には、プリント時にγ処理部のγテーブルを変更することでトナー消費が少なくなるような処理を行い、経時変化による用紙形状の変化を少なくすることで製本時のＪＡＭの発生や糊付け時の失敗を少なくすることができるものである。
【発明を実施するための最良の形態】
【０００９】
（実施例）
以下本発明の実施例について図面を用いて説明する。なお、本発明はこの実施例に限るものではない。
【００１０】
図１は、本発明の実施例に関わる画像形成装置１００の全体構成である。
リーダー装置（リーダー部）１２０は、原稿画像を光学的に読み取り、画像データに変換する。リーダー部１２０は、原稿を読み取るための機能を持つスキャナユニット１２２と、原稿用紙を搬送するための機能を持つ原稿給紙ユニット（ＤＦユニット）１２１とで構成される。ＤＦユニット１２１は、オプションユニットで必ず必要とするものではない。
【００１１】
プリンタ装置（プリンタ部）１３０は、用紙を搬送し、その上に画像データを可視画像として印字して装置外に排紙する。プリンタ部１３０は、複数種類の用紙カセットを持つ給紙ユニット１４２と、画像データを用紙に転写、定着させる機能を持つマーキングユニット１４１からなる。
【００１２】
また、プリンタ部１３０には、プリンタ部で出力された用紙をスタックする機能や、製本機能を有する排紙ユニット１４０が接続される。
【００１３】
制御装置（コントローラ部）１１０は、リーダー部１２０、プリンタ部１３０と電気的に接続され、さらにネットワーク４００を介して、コンピュータ１０１と接続されている。また、制御装置１１０は、リーダー部１２０を制御して、原稿の画像データを読み込み、プリンタ部１３０を制御して画像データを記録媒体に出力してコピー機能を提供する。
【００１４】
また、リーダー部１２０から読み取った画像データを、コードデータに変換し、ネットワーク４００を介してコンピュータへ送信するスキャナ機能、コンピュータからネットワーク４００を介して受信したコードデータを画像データに変換し、プリンタ部１３０に出力するプリンタ機能を提供する。
【００１５】
操作部１５０は、制御装置１１０に接続され、液晶とタッチパネルで構成され、画像形成装置を操作するためのユーザーＩ／Ｆを提供する。
【００１６】
図２はリーダー部１２０及びプリンタ部１３０及び排紙ユニット１４０の断面図である。リーダー部の原稿給送ユニット１２１は原稿を先頭順に１枚ずつプラテンガラス２１１上へ搬送し、原稿の読み取り動作終了後、プラテンガラス２１１上の原稿を排出するものである。原稿がプラテンガラス２１１上に搬送されると、ランプ２１２を点灯し、そして光学ユニット２１３の移動を開始させて、原稿を露光走査する。この時の原稿からの反射光は、ミラー２１４、２１５、２１６、及びレンズ２１７によってＣＣＤイメージセンサ（以下ＣＣＤという）２１８へ導かれる。このＣＣＤ２１８から出力される画像データは、制御装置１１０へ転送される。
【００１７】
プリンタ部１３０のレーザドライバ２２１はレーザー発光部２２２を駆動するものであり、制御装置１１０から出力された画像データに応じたレーザー光をレーザー発光部２２２に発光させる。このレーザー光は、ミラーで反射し感光ドラム２２３に照射され、感光ドラム２２３にはレーザー光に応じた潜像が形成される。この感光ドラム２２３の潜像の部分には現像器２２４によって現像剤（トナー）が付着される。そして、レーザー光の照射開始と同期したタイミングで、カセット２３０及びカセット２３１のいずれかから用紙が給紙され、給紙された用紙は搬送ローラ２３２，２３３により搬送される。ここで用紙厚検知センサ２５０の詳細について説明する。
【００１８】
用紙は搬送ローラにより搬送路を通って転写部２２５に搬送され、感光ドラム２２３に付着された現像剤を用紙に転写する。現像剤の載った用紙は定着部２２６に搬送され、定着部２２６の熱と圧力により現像剤は記像紙に定着される。定着部２２６を通過した用紙は排出ローラ２２７によって排紙ユニット１４０に排出される。
【００１９】
また、両面記録が設定されている場合は、排出ローラ２２７のところまで用紙を搬送した後、排出ローラ２２７の回転方向を逆転させ、フラッパ２２８によって再給紙搬送路２２９へ導く。再給紙搬送路２２９へ導かれた用紙は上述したタイミングで転写部２２５へ搬送され再度現像材像が用紙に転写される。
【００２０】
＜制御装置の説明>
制御装置１１０の機能を、図３に示す制御装置のブロック図を基に説明する。
【００２１】
メインコントローラ３１１は、主にＣＰＵ３１２と、バスコントローラ３１３、各種Ｉ／Ｆコントローラ回路とから構成される。
【００２２】
ＣＰＵ３１２とバスコントローラ３１３は制御装置１１０全体の動作を制御するものであり、ＣＰＵ３１２はＲＯＭ３１４からＲＯＭ−Ｉ／Ｆ３１５を経由して読み込んだプログラムに基づいて動作する。
【００２３】
また、コンピュータから受信したＰＤＬ（ページ記述言語）コードデータを解釈し、ラスターイメージデータに展開する動作も、このプログラムに記述されており、ソフトウェアによって処理される。バスコントローラ３１３は各Ｉ／Ｆから入出力されるデータ転送を制御するものであり、バス競合時の調停やＤＭＡデータ転送の制御を行う。
【００２４】
ＤＲＡＭ３１６はＤＲＡＭ−Ｉ／Ｆ３１７によってメインコントローラ３１１と接続されており、ＣＰＵ３１２が動作するためのワークエリアや、画像データを蓄積するための画像メモリとして使用される。
【００２５】
３１８は、ＤＲＡＭ３１６に蓄積されたラスターイメージデータをMH／MR／MMR／JBIG等の方式で圧縮し、また逆に圧縮され蓄積されたコードデータをラスターイメージデータに伸長する機能を有する。
【００２６】
ＳＲＡＭ３１９はＣｏｄｅｃ３１８の一時的なワーク領域として使用され、Ｃｏｄｅｃ３１８はＩ／Ｆ３２０を介してメインコントローラ３１１と接続され、３１６との間のデータの転送は、バスコントローラ３１３によって制御されＤＭＡ転送される。
【００２７】
Network Controller３２１はＩ／Ｆ３２３によってメインコントローラ３１１と接続され、コネクタ３２２によって外部ネットワークと接続される。ネットワークとしては一般的にイーサネット（登録商標）があげられる。
【００２８】
汎用高速バス３２５には、拡張ボードを接続するための拡張コネクタ３２４とＩ／Ｏ制御部３２６とが接続される。汎用高速バスとしては、一般的にＰＣＩバスがあげられる。
【００２９】
Ｉ／Ｏ制御部３２６には、リーダー部１２０、プリンタ部１３０の各ＣＰＵと制御コマンドを送受信するための調歩同期シリアル通信コントローラ３２７が２チャンネル装備されており、Ｉ／Ｏバス３２８によって外部Ｉ／Ｆ回路３４０及び３４５に接続されている。
【００３０】
パネルＩ／Ｆ３３２は、ＬＣＤコントローラ３３１に接続され、操作部１５０上の液晶画面に表示を行うためのＩ／Ｆと、ハードキーやタッチパネルキーの入力を行うためのキー入力Ｉ／Ｆ３３０とから構成される。操作部１５０は液晶表示部と液晶表示部上に張り付けられたタッチパネル入力装置と、複数個のハードキーを有する。タッチパネルまたはハードキーにより入力された信号は前述したパネルＩ／Ｆ３３２を介してＣＰＵ３１２に伝えられ、液晶表示部はパネルＩ／Ｆ３３２から送られてきた画像データを表示するものである。液晶表示部には、本画像形成装置の操作における機能表示や画像データ等を表示する。
【００３１】
リアルタイムクロックモジュール１３３は、機器内で管理する日付と時刻を更新／保存し、ＳＲＡＭ１７０は、操作部１５０のデータを記憶するメモリで、いずれもバックアップ電池１３４によってバックアップされており、動作中の設定やセンサ情報を一時的に記憶するためにも使用される。
【００３２】
ＩＤＥコネクタ１５１は、外部記憶装置を接続するためのものである。このコネクタを介してハードディスクドライブ１５０が接続され、ハードディスク１５２へ画像データ及び画像データに付属した画像情報を記憶させたり、ハードディスク１５２から画像データを読み込み出力したりすることも可能である。
【００３３】
コネクタ３４２と３４７は、それぞれリーダー部１２０とプリンタ部１３０とに接続され、同調歩同期シリアルＩ／Ｆ（３４３,３４８）とビデオＩ／Ｆ（３４４,３４９）とから構成される。
【００３４】
スキャナＩ／Ｆ３４０は、コネクタ３４２を介してリーダー部１２０と接続され、また、スキャナバス３４１によって入力画像処理ユニット１９０及びメインコントローラ３１１と接続されている。
【００３５】
入力区画像処理ユニット１９０について、図７の入力画像処理ユニットのブロック図を用いて説明する。
【００３６】
まず、リーダー部１２０のＣＣＤ２１８から入力された原稿画像のＲ（Ｒｅｄ），Ｇ（Ｇｒｅｅｎ），Ｂ（Ｂｌｕｅ）信号は、アナログ信号処理部（不図示）に入力され、白レベル及び黒レベルの補正処理が行われた後、Ａ／Ｄ変換部７０１でアナログ/デジタル変換され、シェーディング補正部７０２でデジタル化された信号に対してシェーディング補正（原稿を読み取るＣＣＤ等のセンサのばらつき及び原稿照明用ランプの配光特性の補正）が行われ、その後７０３のサンプリング部で下地レベル調整に用いるための画像データのサンプリング処理が行われる。次に、７０４のフィルタ部でフィルタ処理が行われた後、７０５のγ補正部で、画像データに対して濃度レベル補正が行われ、７０６のトリマス部で画像の不要な部分に対してトリミング処理が施され、ＤＲＡＭ３１６に蓄積される。
【００３７】
画像処理ユニットは３５１、ビデオＩ／Ｆ３５０によってメインコントローラ３１１と接続されており、ＤＲＡＭ３１６に蓄積された画像を読み出して画像処理を行い、処理された画像は、再度ＤＲＡＭ３１６に蓄積される。
【００３８】
この画像処理ユニットについて、図１０の画像処理ユニットのブロック図を用いて説明する。
【００３９】
ＤＲＡＭ３１６から読み出された画像は、変倍処理部１００１で指定された設定値により変倍処理され、回転処理部１００２により用紙に併せて回転処理が行われる。ＬＵＴ処理部では内部に濃度変換するためのＬＵＴ（ルックアップテーブル）が格納されており、入力された画像データに対応するテーブル値を出力することにより濃度変換処理が行われる。
【００４０】
ここでは、トナー消費量が一定レベルを超えた場合にテーブルを入れ替えて濃度レベルを小さくすることでトナー量の制限処理も行われる。ビデオカウント部１００４では、画像のビデオデータからトナー消費量が計算される。このビデオカウント部にはＲ，Ｇ，Ｂ各色８ビットのデータが入力されており、画素毎の各色のデータ値を積算し、その積算値からトナー消費量を計算し、用紙サイズで割ることで単位面積辺りのトナー積載量が計算する。ビデオカウント部から出力された画像は再度ＤＲＡＭ３１６に蓄積されが、１００４のビデオカウント部で演算されたトナー量に応じてＬＵＴ処理部１００３でトナー制限処理を行うために再度画像処理部に入力される。
【００４１】
プリンタＩ／Ｆ３４５は、コネクタ３４７を介してプリンタ部１３０と接続され、また、プリンタバス３４６によって出力画像処理ユニット１９１を介してメインコントローラ３１１と接続されており、メインコントローラ３１１から出力された画像データに対して、出力画像処理ユニット１９１で出力用の画像処理が施し、プリンタ部１３０へ出力する機能を有し、さらに、プリンタ部１３０から送られたビデオ制御信号をもとに生成した制御信号を、プリンタバス３４６に出力する機能も有する。
【００４２】
出力区画像処理１９１について図４の出力画像処理ユニットのブロック図により説明する。
【００４３】
まず、出力のため画像データが、ＤＲＡＭ３１６から読み出されると、４０１の下地処理部で画像の下地レベル補正処理が行われる。次に、色調整部４０２で、操作部から指定された色相調整、彩度調整及び色空間圧縮等の画像処理が施され、次に４０３の合成部でページ番号付加等の合成処理された後、４０４のＬＯＧ変換部でＬＯＧ変換処理が行われた後、４０５のダイレクトマッピング部でＲ，Ｇ，ＢからＹ（イエロー）、Ｍ（マゼンタ）、Ｃ（シアン）、Ｋ（ブラック）への輝度→濃度変換処理が行われる。次に操作部で指定された文字、写真、印画紙写真等の原稿タイプに従ってスクリーン処理が施された後、最後に４０８のトリミング部でプリントの印刷可能領域にあわせてトリミング処理が行われる。
【００４４】
ＤＲＡＭ３１６上に展開されたラスターイメージデータのプリンタ部１３０への転送は、バスコントローラ３１３によって制御され、プリンタバス３４６、ビデオＩ／Ｆ３４９を経由して、プリンタ部１３０へＤＭＡ転送される。
【００４５】
＜排紙ユニットの説明>
次に排紙ユニット１４０について図６を用いて詳細な説明する。
【００４６】
この排紙ユニット１４０は、排紙ユニット内のセンサ検知及び、モータの駆動制御等を行うためのＣＰＵを有する処理ユニット６００により制御されている。
【００４７】
この排紙ユニット１４０は、搬送される用紙を収納して整合する用紙整合部６０３、用紙先端が突き当てられる突き当て部材及び用紙束を加熱した糊で接着する糊ユニット部６０４、本文用紙を表紙用紙でくるむ表紙部６０５、製本された用紙束の周囲をカットするトリマー部６０６、製本完成品収納する収納部６０７、上下動可能な２つの排紙トレイ部６０８、６０９などを備えている。
【００４８】
排紙ユニット１４０には、用紙搬入口６０１が設けられており、用紙搬入口６０１は、画像形成装置１００の排出口と同一高さとなっている。そして、用紙搬入口６０１には搬入ローラ対６０２が配置され、搬入ローラ対６０２の下流側近傍には、駆動手段であるソレノイドを備えた切換手段を構成するフラッパ６１０が２方向への切り替えを行うために配置され、フラッパ６１０を作動させて搬送路を切り替えることにより、用紙は製本搬送路６１１もしくは紙トレイ搬送路６１２に搬送される。
【００４９】
排紙トレイ搬送路に搬送された用紙は、搬送ローラ対６２３、６２４，６２５，６２６により搬送され、排紙トレイ部６０８、６０９に排出される。
【００５０】
排出トレイ６０８及び６０９は、上下方向に稼動し、排紙トレイを稼動させることで、あらかじめ指定したトレイに排出することが可能である。
【００５１】
例えば、操作部等の指定手段により下トレイ６０９への排出が指定されると、上トレイ６０８及び下トレイ６０９は、下トレイ６０９が不図示の排紙口に来るまで上昇して停止し用紙を下トレイに排出する。
【００５２】
また、各排紙トレイは、各トレイに排出された用紙枚数をカウントする手段を有しており、トレイに積載された用紙の枚数が多くなると排出口を塞がないように排紙トレイを下降させて用紙を排出させる。
【００５３】
また、製本搬送路６１１に搬送された用紙は、フラッパ６１３により、製本用紙搬送路６１４及び表紙用搬送路６１５に搬送される。
【００５４】
製本用紙搬送路６１１に搬送された用紙は、用紙搬送ローラ６１６に導かれ用紙整合部６０３に搬送される。用紙整合部６０３は、下流側が低くなるように傾斜して配置されており、その先端部側には用紙が突き当たる突き当て部材が配置されている。この突き当て部材の突き当て面には、用紙整合部６０３上に整合された用紙束の先端に不図示のヒータで加熱した糊で糊付けする糊ユニット部６０４が配置されている。
【００５５】
この用紙整合部６０３は、搬送時以外は、整合板対６１７で押さえ付けており送り込まれた用紙の膨らみを防止しており、用紙の排出が全て終了すると糊ユニット部６０４で糊が加熱され用紙端部が糊付けされる。本文用紙の出力及び糊付け作業が終了すると、次に表紙用の用紙が給紙、印字されて排紙ユニット１４０に排出され、フラッパ６１０，６１３により表紙用搬送路６１５に切り替えられ、搬送ローラ対６２０，６２１，６２２のより表紙部６０５に搬送され停止する。糊付けされた用紙束は表紙部に停止している表紙用紙上に移動する。
【００５６】
この時の表紙部の動作を図９により説明する。
【００５７】
表紙部は、本文用紙束９０１が表紙部上の表紙用紙９０２の中央部分に移動してくると、左右に稼動可能なクランプ部９０４が稼動し、表紙織り込み部９０３が立ち上がり表紙用紙を半分に折り曲げながら本文用紙をはさみこんでくる。
【００５８】
クランプ部分が中央に来て用紙束を挟み込むと、不図示の乾燥ファンが回転し、表紙用紙に包まれた状態で糊が乾燥するのを待つ。
【００５９】
糊付け、表紙付け、乾燥が終了すると、用紙束の周囲を裁断するためにトリマー部６０６に搬送される。トリマー部では、裁断位置にカッター６３０が移動し、動作することで本文の周囲が裁断されていく。この裁断量は、あらかじめ操作部等の入力装置から設定されておりこの裁断幅から裁断量が決定する。この裁断された裁断くずは、ダストボックス部６３１に入れられ、製本された用紙束は収納部６０７に搬送される。
【００６０】
＜コピー出力時の排紙ユニット動作について>
次に、スキャナ部３００から入力した画像をプリンタ部１００で用紙に印字し、排紙ユニット１４０で製本処理する際の動作について図８のフローチャートを用いて説明する。このフローチャート中のＳ８０１〜Ｓ８２７は、各ステップを示す。
【００６１】
まず、操作部１５０から出力枚数、濃度等の基本設定や両面出力、製本出力などの機能設定を行う。例えば、製本の出力の設定では、本文となる用紙のサイズ及び印字用紙の種類、左開き／右開きの設定、表紙用の用紙の給紙段等を設定する（Ｓ８０１）。
【００６２】
出力設定を終え原稿を原稿給紙ユニット２５０にセットし（Ｓ８０２）、操作部１５０のスタートキーを押下して（Ｓ８０３）、押下が検知されると原稿給紙ユニット２５０は原稿を１枚給紙し（Ｓ８０４）、露光ランプ３２により原稿を走査してＣＣＤのより画像がスキャンされる（Ｓ８０５）。スキャンされた画像は、入力画像処理ユニット１９０で入力マスキング処理、フィルタ処理等の入力画像処理が施される（Ｓ８０６）。次に画像処理ユニット３５１で画像処理が行われるが、画像処理ユニット内のＬＵＴ処理部１００３には、操作部で設定した濃度処理に応じたＬＵＴテーブルがＲＯＭ３１４から読み出され設定され（Ｓ８０７）、変倍、回転、ＬＵＴ処理等の画像処理が行われる（Ｓ８０８）。このときビデオカウント部１００４ではＲ，Ｇ，Ｂ各色のビデオデータがカウントされ、その積算値から計算されたトナー消費量を用紙サイズで割ることで単位面積辺りのトナー載り量が計算される（Ｓ８０９）。各原稿の単位面積辺りのトナー載り量は内部ＲＡＭ１７０に一時的に記憶され、画像処理された画像は画像形成装置内のＤＲＡＭ３１６に記憶される（Ｓ８１０）。
【００６３】
スキャンが終了した原稿は、原稿給紙ユニットに排紙され、次の原稿が給紙されスキャンされる。この動作を原稿給紙ユニットに載置された全ての原稿が終了するまで繰り返し行う（Ｓ８１１）。
【００６４】
全ての原稿のスキャンが終了すると、画像をプリントするためにＤＲＡＭ３１６から画像が読み出される（Ｓ８１２）。読み出された画像はプリントを開始する前に、先に計算した単位面積辺りのトナー量と用紙の種類がＲＡＭ１７０から取得される（Ｓ８１３）。
【００６５】
次に、用紙の種類、トナー量から時間経過による用紙形状の変化が発生する可能性があるかどうかの判断処理が行われる（Ｓ８１４）。この判断処理は、ＲＯＭ３１４に記憶されているトナーの補正閾値を示した判断テーブルにより行われる。
【００６６】
図５は、その判断テーブルを示した例である。このテーブルは、坪量による用紙の種類、片面印字、両面印字に応じて、濃度補正が必要となるトナー量の閾値が決められており、各ページトナー量がこの閾値を超えている場合に補正が必要であるという判断がされる。
【００６７】
例えば、用紙の種類が普通紙で片面印字の場合は、単位面積辺りのトナー量が２５（ｇ/m2）を超える場合にはＬＵＴ処理部１００３によりトナー量が閾値２５（ｇ/m2）以下になるような補正を行う必要がある。
【００６８】
また出力が両面印字の場合は、この制限に加えて表面と裏面のトナー量の差分による補正の判断が必要となり、表面と裏面のトナー量を取得し、その差分が補正必要閾値を超えている場合には補正処理が必要となる。
【００６９】
例えば普通紙の場合は、表面の画像のトナー量が５（ｇ/m2）、裏面の画像のトナー量が２４（ｇ/m2）ならば、各面の画像のトナー量が補正必要値の２５（ｇ/m2）を超えていないため補正が必要ないが、各面の差分が補正必要閾値の１５（ｇ/m2）を超えているため、裏面のトナー消量を２０（ｇ/m2）になるような補正を行う必要がある。
【００７０】
このように取得したトナー量と用紙種類を基に補正テーブルから、補正が必要であるかどうかの判断が行われる。また、両面印字の時は、表面画像と裏面画像のトナー量の差分についても上限をこえていないかどうかの判断が行われる。
【００７１】
この判断処理で、片面及び両面のいずれの場合も補正が必要ないと判断された場合には、補正処理は行わずに、そのまま出力処理部で下地処理、色調整、合成等の出力画像処理施され（Ｓ８１９）、プリンタ部１３０で画像が用紙に出力され排紙ユニット１４０に出力され（Ｓ８２０）、継続して次の画像の出力を行う（Ｓ８２１）。
【００７２】
また、判断処理で、トナー量が閾値を超えているため補正が必要と判断された場合は、トナー消費量が補正可能上限値を超えているかどうかの判断がされる（Ｓ８１５）。
【００７３】
既にＬＵＴテーブルによる補正処理が何度か行われ、もっともトナー量を少なくするＬＵＴを使用した場合でも閾値以下のトナー量に補正することができないと判断された場合は、操作部上１５０に“トナーの載り量が多いため製本できません。”というメッセージを表示し（Ｓ８２２）、製本できないため出力を途中で中止するための“中止キー”とトナーの載り量が多いためＪＡＭ等の発生する可能性があるがこのまま継続するかの“継続キー”を操作部１５０に表示し、ユーザーに判断を行わせる（Ｓ８２３）。
【００７４】
ここで中止キーが選択された場合には、残りの出力を行わずに処理を中止され、継続キーが選択された場合には、この画像はそのままプリント部でプリントされ、継続して次の画像の出力を行う。
【００７５】
Ｓ８１５で補正が可能と判断された場合は、ＬＵＴ処理部１００３に、補正用のＬＵＴテーブルがＲＯＭ３１４から読み出しセット設定される（Ｓ８１６）。この補正用のＬＵＴテーブルは、ＲＯＭ内に０〜−５レベルまで補正できようなテーブルが用意されており、補正の回数に応じてより濃度レベルが低くなるようなＬＵＴが選択される。
【００７６】
画像処理ユニット３５１でＬＵＴテーブルによる濃度の補正処理を行い（Ｓ８１７）、補正された画像はビデオカウント部１００４でビデオデータがカウントされ、再度トナー量が計算される（Ｓ８１８）。このトナー量によりＳ８１４で補正が必要かどうかの判断が行われ、補正が必要ないと判断されると、出力画像処理部で処理された画像がプリント部でプリントされ次の画像の処理に移行するが、再度補正が必要と判断されるとより濃度レベルを低くするようなＬＵＴテーブルよる補正処理が行われる。
【００７７】
これらの処理を繰り返し全ての画像のプリントが終了したと判断されると（Ｓ８２１）、製本の表紙給紙段に設定してある給紙段から表紙用の用紙を給紙し、表紙画像を排紙ユニット１４０に出力する（Ｓ８２４）。
【００７８】
次に、本文用紙束の先端部分に熱で溶かした糊を付け表紙用紙で包んだ後乾燥させる（Ｓ８２５）。
【００７９】
糊が乾燥すると本文束はトリマー部６０６に搬送され、本文束の周囲をカッターにより裁断し（Ｓ８２６）、製本された用紙束が収納部６０７に搬送されて出力を終了する（Ｓ８２７）。
【図面の簡単な説明】
【００８０】
【図１】本装置の全体構成を示すブロック図である。
【図２】本発明に係る画像形成装置を示す概略構成図である。
【図３】本装置の制御装置部のブロック図である。
【図４】出力用の画像処理部を示すブロック図である。
【図５】製本時のトナー載り量判断テーブルの表である。
【図６】排紙ユニットの構成を示すブロック図である。
【図７】入力用の画像処理部を示すブロック図である。
【図８】コピー出力を排紙ユニットで製本処理を行う場合のフローチャートである。
【図９】排紙ユニット内の表紙部の図である。
【図１０】画像処理ユニットの構成を示すブロック図である。
【図１】
2006163043.tif 000003
【図２】
2006163043.tif 000004
【図３】
2006163043.tif 000005
【図４】
2006163043.tif 000006
【図５】
2006163043.tif 000007
【図６】
2006163043.tif 000008
【図７】
2006163043.tif 000009
【図８】
2006163043.tif 000010
【図９】
2006163043.tif 000011
【図１０】
2006163043.tif 000012